(57)【要約】      （修正有）【課題】床下配線をおこなうオフィス等の床に使用する高強度のユニット式床を提供する。【解決手段】下方に向けて折り返される複数の外側固定湾曲部が周設される床パネル１０と、前記床パネルの下面に設置され、前記床パネルの下面に取り付けられる支持部２１と、前記支持部に周設されると共に、前記床パネルの下面に当接される複数の延出部２３と、夫々前記複数の延出部に延設けられ、前記複数の外側固定湾曲部１１に被覆されると共に、下方に向けて折り返される複数の内側固定湾曲部２４とを備える支持プレート２０とを有して形成する。【選択図】図１
0003182039.tif 000002
【実用新案登録請求の範囲】
【請求項１】
下方に向けて折り返される複数の外側固定湾曲部が周設されるパネル部材と、
前記パネル部材の下面に取り付けられる支持部と、該支持部に周設されると共に、該パネル部材の下面に当接される複数の延出部と、該複数の延出部に夫々設けられると共に、前記複数の外側固定湾曲部に被覆され、下方に折り返される複数の内側固定湾曲部からなる支持プレートと、を有することを特徴とするユニット式床。
【請求項２】
前記支持プレートは、さらに前記支持部の下面に凹入される複数の凹入溝を有することを特徴とする請求項１に記載のユニット式床。
【考案の詳細な説明】
【技術分野】
【０００１】
本考案は、特に床を構成する高強度のユニット式床に関するものである。
【背景技術】
【０００２】
床は通常、地面から一定の高さに設置され、主に複数の床材からなるものであり、例えば、オフィスやコンピュータセンターなどの内部に床工事を施す場合には、事務機器やコンピュータなどの配線を床下に敷設することにより、室内の見栄えをよくしている。また、床の一部を取り外して修理や配線工事を行うこともできる。
【０００３】
図４ないし図６に示すように、従来のユニット式床は、複数の角に固定湾曲部４２が設けられるパネル部材４０と、延出部４３と、支持部４４とを有する支持プレート４１とを有し、該各固定湾曲部４２を延出部４３に被せるように折り返すことにより、パネル部材４０と支持プレート４１とを互いに結合固定させる。しかし、このような従来のユニット式床を使用する時は、パネル部材４０の上面に外力がかかることにより、該ユニット式床の周縁、及びそのパネル部材４０の中央部を変形させるのみならず、使用時、または組み合わせ工程時に、衝突などでその周縁を傷つけたり、変形させてしまうことがあり、寿命を早めてしまうという欠点があった。
【０００４】
前記従来のユニット式床の欠点を解決するために、該従来のユニット式床材の厚さを増大させることにより、衝突に耐えられるように強化され、特に各固定湾曲部４２と延出部４３との結合部位の厚さは大幅に増大された。
【考案の概要】
【考案が解決しようとする課題】
【０００５】
しかしながら、前記従来の解決策を用いた場合、強度を向上させ、衝突による破損を低減することはできるが、該従来のユニット式床の重量及びコストが大幅に増大してしまい、商品として非常に不経済なものとなってしまう。
【０００６】
そこで、案出されたのが本考案であって、それによれば、前記従来のユニット式床の欠点を解決するために、ユニット式床の重量及びコストを極力抑えながら、強度を向上させることにより、高強度のユニット式床を提供することができる。
【課題を解決するための手段】
【０００７】
本願の請求項１の考案は、下方に向けて折り返される複数の外側固定湾曲部が周設されるパネル部材と、
前記パネル部材の下面に取り付けられる支持部と、該支持部に周設されると共に、該パネル部材の下面に当接される複数の延出部と、該複数の延出部に夫々設けられると共に、前記複数の外側固定湾曲部に被覆され、下方に折り返される複数の内側固定湾曲部からなる支持プレートと、を有することを特徴とするユニット式床、を提供する。
【０００８】
本願の請求項２の考案は、前記支持プレートは、さらに前記支持部の下面に凹入される複数の凹入溝を有することを特徴とする請求項１に記載のユニット式床、を提供する。
【考案の効果】
【０００９】
本考案は上記の課題を解決するものであり、支持プレートの延出部に内側固定湾曲部が設けられ、ユニット式床の周縁に、該内側固定湾曲部と、パネル部材、該パネル部材の外側固定湾曲部、及び支持プレートの延出部とが重畳する多層構造有することから、厚さを増大しなくても、強度を向上させることができるので、ユニット式床の重量及びコストを増やさずに、衝突による変形を防止することができる。
【００１０】
また、前記支持プレートは、さらに前記支持部に形成される複数の凹入溝を有することから、この複数の凹入溝により、ユニット式床が受けた外力を分散し、強度をより高めることができる。
【図面の簡単な説明】
【００１１】
【図１】本考案に係るユニット式床の分解斜視図である。
【図２】本考案に係るユニット式床の斜視図である。
【図３】本考案に係るユニット式床の部分断面図である。
【図４】従来のユニット式床の分解斜視図である。
【図５】従来のユニット式床の斜視図である。
【図６】従来のユニット式床の部分断面図である。
【考案を実施するための形態】
【００１２】
図１に示すように、本考案に係るユニット式床は、パネル１０部材と、支持プレート２０とを有する。
【００１３】
図１に示すように、前記パネル部材１０に、下方に折り返される複数の外側固定湾曲部１１が周設されると共に、該パネル部材１０は四角形を呈し、４つの辺に夫々１つの外側固定湾曲部１１が設けられることが好ましい。
【００１４】
前記支持プレート２０は、前記パネル部材１０の下面に設置され、支持部２１と、該支持部２１の下面に凹入される複数の凹入溝２２と、複数の延出部２３と、複数の内側固定湾曲部２４とを有し、その内、支持部２１は、パネル部材１０の下面に取り付けられ、該複数の延出部２３は、支持部２１に周設されると共に、パネル１０部材の下面に当接され、該各内側固定湾曲部２４は夫々、対応する延出部２３に延設されると共に、夫々対応する外側固定湾曲部１１に当接される。尚、前記支持プレート２０に４つの内側固定湾曲部２４を有しても構わない。
【００１５】
図２及び図３に示すように、前記パネル部材１０の複数の外側固定湾曲部１１は夫々、対応する内側固定湾曲部２４を被包するように下方に折り返され、これにより、本考案のユニット式床の周縁に、パネル部材１０と、延出部２３と、内側固定湾曲部２４と、外側固定湾曲部１１とが重畳する多層構造が形成される。
【００１６】
図３に示すように、本考案のユニット式床は、多層構造により周縁の厚さを増大する効果があることから、周縁の強度が向上されるので、従来のものより大きな荷重に耐えられるだけでなく、使用時又は組み合わせ工程を行う時の周縁における衝突による変形を防ぐことができる。
【００１７】
上述したように、本考案の技術手段によれば、ユニット式床の支持プレート２０の延出部２３に内部固定湾曲部２４が延設されるので、重量及びコストの増大を極力抑えながら、ユニット式床の周縁の強度を向上させることができる。
【産業上の利用可能性】
【００１８】
本考案は上記の構成を有するので、重量及びコストを極力抑えながら、衝突による周縁の変形を防止するユニット式床を提供することを目的としている。
【符号の説明】
【００１９】
１０        パネル部材
１１        外側固定湾曲部
２０        支持プレート
２１        支持部
２２        凹入溝
２３        延出部
２４        内側固定湾曲部
４０        パネル部材
４１        支持プレート
４２        固定湾曲部
４３        延出部
４４        支持部
【図１】
0003182039.tif 000003
【図２】
0003182039.tif 000004
【図３】
0003182039.tif 000005
【図４】
0003182039.tif 000006
【図５】
0003182039.tif 000007
【図６】
0003182039.tif 000008